(57)【特許請求の範囲】
【請求項１】
係止対象物である機器ユニットを収納する装置本体側に設けた係止用貫通穴と、前記機器ユニットに装備したユニット係止機構とで構成し、
このユニット係止機構が、可動自在で且つ前記係止用貫通穴に係合可能なユニット係止体と、当該ユニット係止体を前記係止用貫通穴に向けて常時押圧可能な弾性部材と、前記機器ユニットに対して回動自在なパネルとを備え、
前記ユニット係止体を、前記係止用貫通穴に係合するユニット係止主体と前記パネルに向けて突出する突起部とで形成すると共に、
前記パネルに、当該パネルの回動と共に前記ユニット係止体の突起部を前記弾性部材に向けて押圧可能な係止体押圧部を設け、
前記パネルが開いている時は前記突起部が露出されていることを特徴とする機器ユニット係止装置。
【請求項２】
係止対象物である機器ユニットを収納する装置本体側に設けた係止用貫通穴と，前記機器ユニットに装備したユニット係止機構とで構成すると共に、当該ユニット係止機構を、前記装置本体に収納した後の前記機器ユニットにおける前記装置本体の当該機器ユニット収納用の開口部側に装備し、
前記ユニット係止機構が、前記係止用貫通穴に係合可能なユニット係止主体を有する可動自在なユニット係止体と、当該ユニット係止体を前記係止用貫通穴に向けて常時押圧可能な弾性部材と、前記ユニット係止主体に対して所定の間隔を隔てて配設すると共に前記機器ユニットに対して回動自在なパネルとを備え、
前記ユニット係止主体に、前記パネルに向けて突起部を設け、
前記パネルに、当該パネルの回動と共に前記ユニット係止体の突起部に係合して当該ユニット係止体を前記弾性部材に向けて押圧可能な係止体押圧部を備え、当該係止体押圧部を前記ユニット係止体に向けて設け、
前記パネルが開いている時は前記突起部が露出されていることを特徴とする機器ユニット係止装置。
【請求項３】
前記パネルが閉じている時は前記突起部が隠されていることを特徴とする請求項１又は２記載の機器ユニット係止装置。
【請求項４】
前記パネルに、前記ユニット係止体用のストッパーを設けたことを特徴とする請求項１，２又は３記載の機器ユニット係止装置。
【請求項５】
前記パネルの両端部にパネル係止用部材を立設すると共に、当該各パネル係止用部材に膨出部を各々形成し、
前記機器ユニットに前記各パネル係止用部材と対向する被係止部材を各々配設すると共に、当該各被係止部材に前記パネルの各膨出部に対応した係止用溝を各々形成したことを特徴とする請求項１，２，３又は４記載の機器ユニット係止装置。
【請求項６】
前記係止用貫通穴を一枚の板状部材に形成すると共に、当該板状部材を前記装置本体に装備したことを特徴とする請求項１乃至５の内の何れか一つに記載の機器ユニット係止装置。
【発明の詳細な説明】
【０００１】
【発明の属する技術分野】
本発明は、磁気ディスクドライブユニット等の機器ユニットの着脱構造に係り、特に簡易構造をもって装置本体に対して機器ユニットを容易に着脱すると共に係止することのできる機器ユニット係止装置に関する。
【０００２】
【従来の技術】
従来、磁気ディスクドライブユニット等の機器ユニットを装置本体に実装し、この機器ユニットを装置本体に固定する手段として、種々の固定手段が採られている。例えば機器ユニット１０１の固定手段としては、図８に例示するが如く、装置本体１１５に複数のユニット固定部１１６を設け、更に、この各ユニット固定部１１６に対応した被係合部材１０３を機器ユニット１０１に設ける。そして、装置本体１１５の各ユニット固定部１１６にて、螺子等の接合部材を用い機器ユニット１０１を装置本体１１５に固定するという固定手段が採られている。
【０００３】
【発明が解決しようとする課題】
しかしながら上記従来例にあっては、機器ユニット１０１を装置本体１１５に固定する際に複数箇所にて複数の螺子等の接合部材を螺合しなければならず、その固定に作業時間を要してしまう、という不具合があった。また、パネル１０９を開け且つ複数の螺子等の接合部材を取り外さなければ機器ユニット１０１を取り外すことができず、この為、その取り外しにも作業時間を要してしまう、という不具合があった。
【０００４】
即ち、機器ユニット１０１を装置本体１１５に着脱する際に、例えば工場等での組立工程にあっては、着脱に関わる工数がかかってしまうので効率が悪く生産原価の低減を図り難い。また、一般ユーザーが、例えば磁気ディスクドライブユニットを容量の異なる他の磁気ディスクドライブユニットに交換する等の作業を行う場合にあっては、複数の螺子等の接合部材を着脱しなければならず、手間がかかり且つ作業し難い、という不具合があった。
【０００５】
【発明の目的】
本発明は、かかる従来例の有する不都合を改善し、磁気ディスクドライブユニット等の機器ユニットを装置本体に着脱する際に、機器ユニットを、簡易構造をもって容易に装置本体に係止することができ、更に、この係止を容易に解除することのできる機器ユニット係止装置を提供することを、その目的とする。
【０００６】
【課題を解決するための手段】
上記目的を達成する為、請求項１記載の発明では、係止対象物である機器ユニットを収納する装置本体側に設けた係止用貫通穴と、機器ユニットに装備したユニット係止機構とで機器ユニット係止装置を構成している。そして、ユニット係止機構が、可動自在で且つ係止用貫通穴に係合可能なユニット係止体と、このユニット係止体を係止用貫通穴に向けて常時押圧可能な弾性部材と、機器ユニットに対して回動自在なパネルとを備えている。そして、ユニット係止体を、前記係止用貫通穴に係合するユニット係止主体と前記パネルに向けて突出する突起部とで形成すると共に、前記パネルに、当該パネルの回動と共に前記ユニット係止体の突起部を前記弾性部材に向けて押圧可能な係止体押圧部を設けた。
【０００７】
この為、この請求項１記載の発明では、ユニット係止体を装置本体の係止用貫通穴に係合することで、機器ユニットを装置本体に係止することができる。更に、弾性部材が、そのバネ力を利用し装置本体の係止用貫通穴に向けてユニット係止体を押圧することでユニット係止体を装置本体の係止用貫通穴に容易に係合することができ、且つ、機器ユニットと装置本体との係止状態を一定に保つことができ、しかも、パネルの回動によってユニット係止体を可動させることができる。具体的には、パネルを一方向に回動させる（パネルを開く）ことで、パネルの係止体押圧部がユニット係止体の突起部を押動し、このユニット係止体を係止用貫通穴から抜き出すことができる。これにより、機器ユニットと装置本体との係止を容易に解除することができる。
【００１０】
請求項２記載の発明では、係止対象物である機器ユニットを収納する装置本体側に設けた係止用貫通穴と，機器ユニットに装備したユニット係止機構とで機器ユニット係止装置を構成している。そして、このユニット係止機構を、装置本体に収納した後の機器ユニットにおける装置本体の機器ユニット収納用の開口部側に装備している。
【００１１】
更に、ユニット係止機構が、係止用貫通穴に係合可能なユニット係止主体を有する可動自在なユニット係止体と、このユニット係止体を係止用貫通穴に向けて常時押圧可能な弾性部材と、ユニット係止主体に対して所定の間隔を隔てて配設すると共に機器ユニットに対して回動自在なパネルとを備えている。また更に、ユニット係止主体にはパネルに向けて突起部を設けており、パネルには、このパネルの回動と共にユニット係止体の突起部に係合してユニット係止体を弾性部材に向けて押圧可能な係止体押圧部を備えている。そして、この係止体押圧部をユニット係止体に向けて設けている。
【００１２】
この為、この請求項２記載の発明では、ユニット係止体のユニット係止主体を装置本体の係止用貫通穴に係合することで、機器ユニットを装置本体に係止することができる。更に、弾性部材が、そのバネ力を利用し装置本体の係止用貫通穴に向けてユニット係止体を押圧することでユニット係止主体を装置本体の係止用貫通穴に容易に係合することができ、且つ、機器ユニットと装置本体との係止状態を一定に保つことができる。また、ユニット係止機構が装置本体の開口部側に装備されているので、機器ユニットを装置本体に収納した後においてもユニット係止機構を容易に作動させることができる。
【００１３】
また更に、パネルの回動によってユニット係止体を可動させることができる。具体的には、パネルを一方向に回動させる（パネルを開く）ことで、パネルの係止体押圧部がユニット係止体の突起部を押動し、ユニット係止主体を係止用貫通穴から抜き出すことができる。これにより、機器ユニットと装置本体との係止を容易に解除することができる。
【００１４】
請求項４記載の発明では、前述した請求項１，２又は３記載の機器ユニット係止装置において、パネルにユニット係止体用のストッパーを設けている。
【００１５】
この為、この請求項４記載の発明では、前述した請求項１，２又は３記載の発明と同等に機能するほか、仮に弾性部材のバネ力が小さくても若しくは弾性部材が劣化しても、パネルに設けたストッパーによってユニット係止体と係止用貫通穴との係止状態が解除されるのを防止することができる。
【００１６】
請求項５記載の発明では、前述した請求項１，２，３又は４記載の機器ユニット係止装置において、パネルの両端部にパネル係止用部材を立設すると共に、この各パネル係止用部材に膨出部を各々形成している。更に、機器ユニットにパネルに設けた各パネル係止用部材と対向する被係止部材を各々配設すると共に、この各被係止部材にパネルの各膨出部に対応した係止用溝を各々形成している。
【００１７】
この為、この請求項５記載の発明では、前述した請求項１，２，３又は４記載の発明と同等に機能するほか、パネルに設けたパネル係止用部材の膨出部と機器ユニットに形成した係止用溝とを係合させることができ、パネルを機器ユニットに係止することができる。
【００２０】
請求項６記載の発明では、前述した請求項１乃至５の内の何れか一つに記載の機器ユニット係止装置において、装置本体側の係止用貫通穴を一枚の板状部材に形成し、この板状部材を装置本体に装備している。
【００２１】
この為、この請求項６記載の発明では、前述した請求項１乃至５の内の何れか一つに記載の発明と同等に機能するほか、装置本体に加工を施さずとも種々のユニット係止機構に対応した形状の異なる係止用貫通穴を形成した板状部材を形成することができるので、この板状部材を適宜交換するだけで、種々のユニット係止機構に容易に対応することができる。
【００２５】
【発明の実施の形態】
本発明の一実施形態について図１乃至図７に基づいて説明する。
【００２６】
図１に、磁気ディスクドライブユニットから成る機器ユニット１と，この機器ユニット１に装備したユニット係止機構６を示す。また、所定の一端面側に開口部１５ａを備えると共にこの開口部１５ａから機器ユニット１を着脱自在に収納する装置本体１５を示す。
【００２７】
この機器ユニット１は、図１及び図２に示すように、機器ユニット本体２とユニット保持体３とで構成され、これら機器ユニット本体２とユニット保持体３とは、例えば両端部から複数の螺子等の接合部材４にて螺合されている。また、上記ユニット係止機構６は、機器ユニット１の前面（装置本体１５の開口部１５ａ側）で且つユニット保持体３に備えられている。そして、このユニット係止機構６と、ユニット係止機構６に対応して装置本体１５側に設けられた後述する係止用貫通穴１６ａとで機器ユニット係止装置５を構成し、この機器ユニット係止装置５によって機器ユニット１を装置本体１５に係止している。
【００２８】
先ず、ユニット係止機構６について説明する。
このユニット係止機構６は、図６（ａ）に示すように、可動自在なユニット係止体７と、このユニット係止体７の上端部の直上に設けられたバネ（弾性部材）８と、このバネ８を収納し且つユニット係止体７の可動方向を誘導可能なユニット保持体３に形成されたガイド部３ｄと、後述するようにユニット係止体７を作動させるパネル９とで構成される。
【００２９】
ここで、パネル９について説明する。
このパネル９は、例えば略矩形から成る板状部材で形成され且つ機器ユニット１に対して図１及び図５（ａ）に示す回動方向１１へと回動自在に設けられている。
【００３０】
具体的には、ユニット保持体３に、その両端部から所定の間隔を設けて各々形成された図１及び図７（ｂ）に示す回動支軸保持部３ａが形成されており、この回動支軸保持部３ａに保持された回動支軸１０を介してパネル９が回動自在となっている。この場合、パネル９の両端部に、回動支軸１０に対応した軸受け部９ａを形成している。
【００３１】
また、図１及び図２に示すようにパネル９の両端部にはパネル係止用部材９ｂが各々立設されており、この各パネル係止用部材９ｂには、図５（ｂ）に示すように膨出部９ｃが各々形成されている。そして、ユニット保持体３には、各パネル係止用部材９ｂと対向する被係止部材３ｂが各々配設されており、この各被係止部材３ｂには、図５（ｂ）に示すように膨出部９ｃに対応した係止用溝３ｃが各々形成されている。これにより、回動自在に設けられたパネル９を機器ユニット１にて係止することができる。ここで、図５（ｂ）にはパネル９の一端部のパネル係止用部材９ｂ，膨出部９ｃ，被係止部材３ｂ及び係止用溝３ｃを示したが、他端部のパネル係止用部材９ｂ，膨出部９ｃ，被係止部材３ｂ及び係止用溝３ｃも一端部側と同様に形成されている。
【００３２】
更に、パネル９の中間部分の端部には、例えば断面略楕円形の図１に示すフィンガーガイド９ｄが形成される。これにより、このフィンガーガイド９ｄに指を引っ掛け、容易にパネル９と機器ユニット１との係止を解除することができる。
【００３３】
また更に、パネル９には、ユニット係止体７を係止する為のストッパー９ｅと、ユニット係止体７を押圧する為の係止体押圧部９ｆとが形成される。
【００３４】
このストッパー９ｅは、図６（ａ）に示すように、パネル９の中央部分からユニット係止体７に向けて設けられる。また、係止体押圧部９ｆも、パネル９の中央部分における回動支軸１０側の端部からユニット係止体７に向けて設けられる。
【００３５】
ここで、本実施形態におけるパネル９は、機器ユニット１を装置本体１５から取り出す際の引き出し用取っ手として使用することもできる。
【００３６】
続いて、ユニット係止体７について説明する。
ユニット係止体７は、パネル９が前述したパネル９の膨出部９ｃとユニット保持体３の係止用溝３ｂとによってユニット保持体３に係止されている状態（図６（ａ）及び図７（ａ））において、パネル９と対向すると共に所定の間隔を設けて備えられた略矩形から成る板状のユニット係止主体７ａと，このユニット係止主体７ａの中央部分からパネルに向けて設けた突起部７ｂとで形成される。この場合、ユニット係止主体７ａは、後述する係止用貫通穴１６ａに対し直交して設けられており、ユニット係止主体７ａの一部が前述したガイド部３ｄに誘導されて係止用貫通穴１６ａに出入する。
【００３７】
ここで、前述したようにユニット係止体７の上端部の直上にはバネ８が設けられている。この場合、ユニット係止主体７ａ上端部の直上にバネ８が設けられている。本実施形態において、バネ８は、パネル９の開閉状態に係らず（図６（ａ）及び図６（ｂ）に示す状態において）圧縮させた状態で備えられる。これにより、図６（ａ）に示すようにユニット係止体７が係止用貫通穴１６ａに挿入された状態を保つことができる。即ち、後述するようにパネル９を閉じる際（図６（ｂ）の状態から図６（ａ）の状態へとパネル９を回動させる際）に、ユニット係止体７を係止用貫通穴１６ａに挿入することができる。
【００３８】
ユニット係止体７の突起部７ｂは、パネル９の近傍まで延設されると共に、前述したパネル９のストッパー９ｅ及び係止体押圧部９ｆに対応して形成される。具体的には、突起部７ｂは、図６（ａ）に示すように、ストッパー９ｅと係止体押圧部９ｆとの間に形成される。
【００３９】
このように、パネル９のストッパー９ｅ及び係止体押圧部９ｆ，並びにユニット係止体７の突起部７ｂを形成することで、パネル９が機器ユニット１に係止されている時（図６（ａ））に、仮にバネ８のバネ力が小さくても若しくはバネ８が劣化しても、ストッパー９ｅによってユニット係止体７が係止用貫通穴１６ａから抜け出ることを防止することができる。
【００４０】
また、機器ユニット１を装置本体１５から着脱する時（図６（ｂ））に、パネル９の回動と共にパネル９の係止体押圧部９ｆがユニット係止体７の突起部７ｂに当接し且つこの突起部７ｂを押動することができる。即ち、機器ユニット１と装置本体１５との係止を解除することができる。
【００４１】
ここで、パネル９が機器ユニット１に係止されている時（即ち機器ユニット１を装置本体１５に実装し終えた時）に機器ユニット１を装置本体１５に係止する為、ユニット係止主体７ａの下端部は所定の長さまで延設される。本実施形態においては、突起部７ｂの上面とユニット係止主体７ａの下端面との間隔を、ストッパー９ｅの下面と後述する板状部材１６の下面との間隔よりも長く設定する。これにより、ユニット係止主体７ａを係止用貫通穴１６ａに挿入することができる。
【００４２】
続いて、機器ユニット１と装置本体１５との係止を解除する為に要する各部品の設定条件を例示する。
【００４３】
パネル９の係止体押圧部９ｆは、回動支軸１０の中心に対して所定の長さに延設される。また、ユニット係止体７の突起部７ｂの上面と下面との間隔は、パネル９が機器ユニット１に係止されている状態（図６（ａ））において、パネル９のストッパー９ｅの下面における延設面と回動支軸１０の軸中心との最短距離よりも僅かに小さく設定する。
【００４４】
更に、同様にパネル９が機器ユニット１に係止されている状態（図６（ａ））において、ユニット係止主体７ａの下端面と板状部材１６の上面との間隔を、パネル９の係止体押圧部９ｆにおける上記所定の長さよりも短めに設定する。これにより、パネル９の回動と共にユニット係止主体７ａを係止用貫通穴１６ａから抜き出すことができる。
【００４５】
即ち、パネル９を閉じる（図６（ａ））ことによって、ユニット係止機構６に備えたバネ８がユニット係止体７を押圧し、後述する係止用貫通穴１６ａにユニット係止体７（ユニット係止主体７ａ）を挿入することができるので、機器ユニット１を装置本体１５に係止することができる。
【００４６】
また、パネル９を開く（図６（ｂ））ことによって、パネル９に形成した係止体押圧部９ｆがユニット係止体７の突起部７ｂを押圧し、係止用貫通穴１６ａからユニット係止体７（ユニット係止主体７ａ）を抜き出すことができるので、機器ユニット１と装置本体１５との係止を解除することができる。
【００４７】
次に、装置本体１５側に設けられた係止用貫通穴１６ａについて説明する。
この係止用貫通穴１６ａは、図３に示すように、装置本体１５に備えられた板状部材１６に形成され、その形状は、前述したユニット係止体７（ユニット係止主体７ａ）の装備位置及び形状に対応して形成される。本実施形態においては板状から成るユニット係止主体７ａを用いているので、係止用貫通穴１６ａは、ユニット係止主体７ａの形状に対応して略矩形に形成される。
【００４８】
ここで、板状部材１６は、装置本体１５に備えられたボス部１５ｂに、このボス部１５ｂに対応して板状部材１６に設けられた貫通穴を有する被係合部材１６ｂを介して、図４に示すように、例えば螺子等の接合部材１７を用いて固定される。
【００４９】
本実施形態においては、板状部材１６に、機器ユニット１を固定する為の図１及び図３に示すユニット固定部（接合部材）１６ｃが設けられている。また、図１及び図２に示すように、ユニット保持体３に、ユニット固定部１６ｃに対応した切り欠きを有する被係合部材３ｄが形成されている。この場合、図４及び図７（ｂ）に示すように、機器ユニット１は、この機器ユニット１に設けた被係合部材３ｄを介して装置本体１５のユニット固定部１６ｃに、例えば螺子等の接合部材１８を用いて固定される。
【００５０】
尚、本実施形態においては機器ユニット１として磁気ディスクドライブユニットを例示したが、必ずしもこれに限定するものではなく、光ディスクドライブユニット又はバッテリー等の機器ユニットに合わせて機器ユニット係止装置５を構成し用いてもよい。
【００５１】
【発明の効果】
本発明に係る機器ユニット係止装置は、磁気ディスクドライブユニット等の機器ユニットに装備した機器ユニット係止機構のユニット係止体を、装置本体に設けた係止用貫通穴に出入させることによって機器ユニットと装置本体との係止及びこの係止の解除を行うことができる。更に、機器ユニット係止機構をパネルの開閉動作によって作動させることができるので、機器ユニットを装置本体に容易に係止することが可能となる。また、機器ユニットと装置本体との係止を容易に解除することも可能となる。
【００５２】
即ち、機器ユニットと装置本体との係止及びこの係止の解除を、パネルの開閉という一つの動作で行うことができる。更に、機器ユニットとパネルとを一つの組立体として設けているので、パネルを、機器ユニットを装置本体から取り出す際の取っ手としても使用することができる。そして、機器ユニットと装置本体とを固定する為には、少なくとも一箇所を螺子等の接合部材で固定すればよいので、従来と比べて接合部材の部品点数を削減することができる。これらにより、接合部材の部品点数の削減を図ることができると共に、機器ユニットの着脱に係る作業時間の短縮を図ることができるという、従来にない優れた機器ユニット係止装置を得ることが可能となる。
【図面の簡単な説明】
【図１】本発明における一実施形態を示す斜視図である。
【図２】本実施形態における機器ユニット係止装置を装備した機器ユニットを示す上面図である。
【図３】本実施形態における機器ユニットを実装する為の装置本体の内部を示す上面図である。
【図４】本実施形態における機器ユニットを実装した状態での装置本体の内部を示す上面図である。
【図５】図５（ａ）は図４におけるＢ−Ｂ線断面図であって、図５（ｂ）は図２におけるＡ部の詳細図である。
【図６】図６（ａ）は図４におけるＣ−Ｃ線断面図であって、図６（ｂ）は図６（ａ）においてパネルを開いた状態を示すＣ−Ｃ線断面図である。
【図７】図７（ａ）は本実施形態における機器ユニットを装置本体に実装した状態を示す正面図であって、図７（ｂ）は図７（ａ）においてパネル及び回動支軸を除いた状態を示す正面図である。
【図８】従来の機器ユニットの固定手段を示す斜視図である。
【符号の説明】
１  機器ユニット
３ｂ  被係止部材
３ｃ  係止用溝
３ｅ  被係合部材
５  ユニット係止装置
６  ユニット係止機構
７  ユニット係止体
７ａ  ユニット係止主体
７ｂ  突起部
８  バネ（弾性部材）
９  パネル
９ｂ  パネル係止用部材
９ｃ  膨出部
９ｅ  ストッパー
９ｆ  係止体押圧部
１５  装置本体
１５ａ  開口部
１６  板状部材
１６ａ  係止用貫通穴
１６ｃ  ユニット固定部（接合部材）
【図１】
0003645786.tif 000002
【図２】
0003645786.tif 000003
【図３】
0003645786.tif 000004
【図４】
0003645786.tif 000005
【図５】
0003645786.tif 000006
【図６】
0003645786.tif 000007
【図７】
0003645786.tif 000008
【図８】
0003645786.tif 000009